(57)【要約】【課題】  主ガバナ回路における第１フィルター装置に目詰まりが生じても、第１ガバナを有効に活用できるように、ダストを除去した充分な量のガスを一次側配管からその第１ガバナに流入させて、二次側配管内のガス圧力を第１設定供給圧力に維持できるとともに、第１ガバナを通した通常のガス供給を早期に再開するための迅速なメンテナンス作業も特に要求されないようにする。【解決手段】  第１ガバナ１１に第１フィルター装置９を接続してある主ガバナ回路１２と、第２ガバナ１５に第２フィルター装置１３を接続してある予備ガバナ回路１６とを並列に接続し、第１ガバナのガス流入側と、第２フィルター装置のガス流出側とをバイパス路２２で接続して、そのバイパス路を開閉自在な常閉式の弁２３を設け、第１フィルター装置を通過する前後のガス圧力の降下量が設定降下量を越えると、弁が開作動するように制御する制御部２４を設けてある。【選択図】        図１
2005291608.tif 000002
【特許請求の範囲】
【請求項１】
二次側配管内のガス圧力が一次側配管内のガス圧力よりも低い第１設定供給圧力になるように流量を調整しながら、前記一次側配管から前記二次側配管にガスを通流可能な第１ガバナに、前記一次側配管から前記第１ガバナに流入させるガスを濾過する第１フィルター装置を接続してある主ガバナ回路と、
前記二次側配管内のガス圧力が前記第１設定供給圧力よりも低い第２設定供給圧力になるように流量を調整しながら、前記一次側配管から前記二次側配管にガスを通流可能な第２ガバナに、前記一次側配管から前記第２ガバナに流入させるガスを濾過する第２フィルター装置を接続してある予備ガバナ回路とを、
前記第１及び第２フィルター装置のガス流入側が前記一次側配管に連通し、前記第１及び第２ガバナのガス流出側が前記二次側配管に連通するように並列に接続してあるガス圧力調整設備であって、
前記第１フィルター装置よりも下流側における前記第１ガバナのガス流入側と、前記第２ガバナよりも上流側における前記第２フィルター装置のガス流出側とをバイパス路で接続するとともに、そのバイパス路を開閉自在な常閉式の弁を設け、
前記第１フィルター装置を通過する前後のガス圧力の降下量が設定降下量を越えると、前記弁が開作動するように制御する制御部を設けてあるガス圧力調整設備。
【発明の詳細な説明】
【技術分野】
【０００１】
本発明は、二次側配管内のガス圧力が一次側配管内のガス圧力よりも低い第１設定供給圧力になるように流量を調整しながら、前記一次側配管から前記二次側配管にガスを通流可能な第１ガバナに、前記一次側配管から前記第１ガバナに流入させるガスを濾過する第１フィルター装置を接続してある主ガバナ回路と、前記二次側配管内のガス圧力が前記第１設定供給圧力よりも低い第２設定供給圧力になるように流量を調整しながら、前記一次側配管から前記二次側配管にガスを通流可能な第２ガバナに、前記一次側配管から前記第２ガバナに流入させるガスを濾過する第２フィルター装置を接続してある予備ガバナ回路とを、前記第１及び第２フィルター装置のガス流入側が前記一次側配管に連通し、前記第１及び第２ガバナのガス流出側が前記二次側配管に連通するように並列に接続してあるガス圧力調整設備に関する。
【背景技術】
【０００２】
上記ガス圧力調整設備は、主ガバナ回路における第１ガバナの作動に異常が生じて、例えば遮断弁の閉弁作動によって、第１ガバナへのガスの流入を停止した結果、二次側配管内のガス圧力が第１設定供給圧力よりも低くなったときに、予備ガバナ回路における第２ガバナの作動により、二次側配管内のガス圧力が第１設定供給圧力よりも低い第２設定供給圧力になるように流量を調整しながら、一次側配管から二次側配管にガスを通流させて、二次側配管へのガス供給量を確保できるように構成してあり、第１ガバナを通して二次側配管にガスを通流させるときも、第２ガバナを通して二次側配管にガスを通流させるときも、スケールなどのダストの付着による第１，第２ガバナの作動不良などが生じないように、主ガバナ回路と予備ガバナ回路との各々において、第１，第２ガバナの夫々に対応してダストを除去するための第１，第２フィルター装置を接続し、ダストの第１，第２ガバナへの流入を防止している。
従来の上記ガス圧力調整設備では、主ガバナ回路における第１フィルター装置に目詰まりが生じて、第１フィルター装置を通した第１ガバナへのガス流入量が低下し、その結果、第１ガバナの作動に異常が生じていないにもかかわらず、二次側配管内のガス圧力が第１設定供給圧力よりも低くなったときでも、予備ガバナ回路における第２ガバナの作動により、二次側配管へのガス供給量を確保できるように構成している（慣用技術であり、先行技術文献情報を開示できない）。
【発明の開示】
【発明が解決しようとする課題】
【０００３】
このため、主ガバナ回路における第１フィルター装置に目詰まりが生じたときには、第１ガバナの作動に異常が生じていないにもかかわらず、その第１ガバナを有効に活用できない欠点があるとともに、第１ガバナを通した通常のガス供給を早期に再開できるように、主ガバナ回路を点検して、二次側配管内のガス圧力が第１設定供給圧力よりも低くなった原因を調べ、第１フィルター装置の目詰まりに起因することが判明した時点で、第１フィルター装置の目詰まりを解消するといったメンテナンス作業を迅速に行わなければならない欠点がある。
本発明は上記実情に鑑みてなされたものであって、主ガバナ回路における第１フィルター装置に目詰まりが生じても、第１ガバナを有効に活用できるように、ダストを除去した充分な量のガスを一次側配管からその第１ガバナに流入させて、二次側配管内のガス圧力を第１設定供給圧力に維持できるとともに、第１ガバナを通した通常のガス供給を早期に再開するための迅速なメンテナンス作業も特に要求されないようにすることを目的とする。
【課題を解決するための手段】
【０００４】
本発明の第１特徴構成は、二次側配管内のガス圧力が一次側配管内のガス圧力よりも低い第１設定供給圧力になるように流量を調整しながら、前記一次側配管から前記二次側配管にガスを通流可能な第１ガバナに、前記一次側配管から前記第１ガバナに流入させるガスを濾過する第１フィルター装置を接続してある主ガバナ回路と、前記二次側配管内のガス圧力が前記第１設定供給圧力よりも低い第２設定供給圧力になるように流量を調整しながら、前記一次側配管から前記二次側配管にガスを通流可能な第２ガバナに、前記一次側配管から前記第２ガバナに流入させるガスを濾過する第２フィルター装置を接続してある予備ガバナ回路とを、前記第１及び第２フィルター装置のガス流入側が前記一次側配管に連通し、前記第１及び第２ガバナのガス流出側が前記二次側配管に連通するように並列に接続してあるガス圧力調整設備であって、前記第１フィルター装置よりも下流側における前記第１ガバナのガス流入側と、前記第２ガバナよりも上流側における前記第２フィルター装置のガス流出側とをバイパス路で接続するとともに、そのバイパス路を開閉自在な常閉式の弁を設け、前記第１フィルター装置を通過する前後のガス圧力の降下量が設定降下量を越えると、前記弁が開作動するように制御する制御部を設けてある点にある。
【０００５】
〔作用及び効果〕
第１フィルター装置よりも下流側における第１ガバナのガス流入側と、第２ガバナよりも上流側における第２フィルター装置のガス流出側とをバイパス路で接続するとともに、そのバイパス路を開閉自在な常閉式の弁を設け、第１フィルター装置を通過する前後のガス圧力の降下量が設定降下量を越えると、弁が開作動するように制御する制御部を設けてあるので、第１フィルター装置を通過する前後のガス圧力の降下量に基づいてその目詰まり状態を判定して、ガス圧力の降下量が設定降下量以下で、第１フィルター装置の目詰まりが無い、或いは、許容範囲であると判定できるときは、第２フィルター装置のガス流出側と第１ガバナのガス流入側とが連通せず、第１フィルター装置で濾過したガスが第１ガバナに流入して、二次側配管内のガス圧力が一次側配管内のガス圧力よりも低い第１設定供給圧力になるように流量を調整できる。
また、ガス圧力の降下量が設定降下量を越えていて、第１フィルター装置の目詰まりが許容範囲弁を越えていると判定できるときは、弁が開作動して、第２フィルター装置のガス流出側と第１ガバナのガス流入側とが連通し、第２フィルター装置で濾過したガスが第１ガバナに流入して、二次側配管内のガス圧力が一次側配管内のガス圧力よりも低い第１設定供給圧力になるように流量を調整できる。
従って、主ガバナ回路における第１フィルター装置に目詰まりが生じても、第１ガバナを有効に活用できるように、ダストを除去した充分な量のガスを一次側配管からその第１ガバナに流入させて、二次側配管内のガス圧力を第１設定供給圧力に維持できるとともに、第１ガバナを通した通常のガス供給を早期に再開するための迅速なメンテナンス作業も特に要求されない。
【発明を実施するための最良の形態】
【０００６】
以下に本発明の実施の形態を図面に基づいて説明する。
図１は、本発明に係る都市ガス供給用のガス圧力調整設備Ａを示し、ガス遮断装置１を設けてある引込管２と、ガス圧力調整設備Ａの一次側配管３とを絶縁継手４を介して接続すると共に、ガス圧力調整設備Ａの二次側配管５を、ガスメータ６とガス栓７とを介して、ユーザー側のガス消費機器Ｂに接続し、二次側配管５には水封式安全器８を設けてある。
【０００７】
前記ガス圧力調整設備Ａは、第１フィルター装置９と二次側圧力の上昇を防止するための第１圧力上昇防止弁（遮断弁）１０と第１ガバナ１１とを、一次側配管３側から記載順に直列に接続してある主ガバナ回路１２と、第２フィルター装置１３と二次側圧力の上昇を防止するための第２圧力上昇防止弁（遮断弁）１４と第２ガバナ１５とを、一次側配管３側から記載順に直列に接続してある予備ガバナ回路１６とを、第１及び第２フィルター装置９，１３のガス流入側が一次側配管３に連通し、第１及び第２ガバナ１１，１５のガス流出側が二次側配管５に連通するように、一次側配管３と二次側配管５との間に並列に接続してある。
【０００８】
前記第１フィルター装置９及び第２フィルター装置１３は、いずれも、耐圧容器１７内にフィルターエレメントを脱着可能に装着してあるドリンジャー型やアングル型のフィルター装置で構成してあり、ガス流入側が第１入弁１８や第２入弁１９を介して一次側配管３側に連通し、ガス流出側が対応する第１圧力上昇防止弁１０側や第２圧力上昇防止弁１４側に連通するように接続して、第１フィルター装置９は、一次側配管３から第１ガバナ１１に流入させるガスを濾過し、第２フィルター装置１３は、一次側配管３から第２ガバナ１５に流入させるガスを濾過するように設けてある。
【０００９】
前記第１ガバナ１１は、二次側配管５内のガス圧力が一次側配管３内のガス圧力よりも低い第１設定供給圧力になるように流量を調整しながら、一次側配管３から二次側配管５に第１出弁２０を通してガスを通流可能に設けてある。
【００１０】
前記第１圧力上昇防止弁１０は、第１フィルター装置９に一体に設けてあり、二次側配管５内のガス圧力が第１設定供給圧力よりも高い第１設定圧力を越えると、第１ガバナ１１を通した二次側配管５へのガスの通流を遮断できるように構成してある。
【００１１】
前記第２ガバナ１５は、第１圧力上昇防止弁１０により第１ガバナ１１を通した二次側配管５へのガスの通流を遮断した結果、二次側配管５内のガス圧力が低下したときに、その二次側配管５内のガス圧力が第１設定供給圧力よりも低い第２設定供給圧力になるように流量を調整しながら、一次側配管３から二次側配管５に第２出弁２１を通してガスを通流可能に設けてある。
【００１２】
前記第２圧力上昇防止弁１４は、第２フィルター装置１３に一体に設けてあり、二次側配管５内のガス圧力が第２設定供給圧力よりも高い第２設定圧力を越えると、第２ガバナ１５を通した二次側配管５へのガスの通流を遮断できるように構成してある。
【００１３】
そして、第１フィルター装置９よりも下流側における第１ガバナ１１のガス流入側と、第２ガバナ１５よりも上流側における第２フィルター装置１３のガス流出側とをバイパス路２２で連通接続するとともに、そのバイパス路２２を開閉自在な常閉式の電磁弁２３を設け、第１フィルター装置９を通過する前後のガス圧力の降下量が設定降下量を越えると、電磁弁２３が開作動するように制御する制御部２４を設けてある。
【００１４】
前記制御部２４は、第１フィルター装置９に流入するガスの圧力を検出する第１圧力センサ２５と、第１フィルター装置９から第１圧力上昇防止弁１０を通して流出するガスの圧力を検出する第２圧力センサ２６とを設けて、第１，第２圧力センサ２５，２６から入力される検出情報に基づいて、第１フィルター装置９を通過する前後のガス圧力の降下量が設定降下量を越えていて、第１フィルター装置９に目詰まりが生じていると判定すると、電磁弁２３が開作動するように通電して、第２フィルター装置１３と第１ガバナ１１とをバイパス路２２を介して連通させる。
【００１５】
従って、第１フィルター装置９によってダストを除去したガスに加えて、第２フィルター装置１３によってダストを除去したガスも第１ガバナ１１に流入させることができるので、第１ガバナ１１を有効に活用できるように、ダストを除去した充分な量のガスを一次側配管３からその第１ガバナ１１に流入させて、二次側配管５内のガス圧力を第１設定供給圧力に維持できる。
【００１６】
〔その他の実施形態〕
１．本発明によるガス圧力調整設備は、ガス圧力の設定降下量を変更自在に設けてあっても良い。
２．本発明によるガス圧力調整設備は、バイパス路に設けた常閉式の弁を開弁したときに、第１フィルター装置を通過したガスの第１ガバナへの流入を停止するように制御する制御部を設けてあっても良い。
３．本発明によるガス圧力調整設備は、工場や集合住宅，病院、学校などの特定の施設にガスを供給するために設けるものであっても良い。
４．本発明によるガス圧力調整設備は、工場に設けた生産設備（プラント) の一部を構成するために設けるものであっても良い。
５．本発明によるガス圧力調整設備は、メタンガス等の都市ガス供給系以外に、プロパンガスを供給するために設けるものであっても良い。
【図面の簡単な説明】
【００１７】
【図１】ガス圧力調整設備の概略を示す系統図
【符号の説明】
【００１８】
３    一次側配管
５    二次側配管
９    第１フィルター装置
１１  第１ガバナ
１２  主ガバナ回路
１３  第２フィルター装置
１５  第２ガバナ
１６  予備ガバナ回路
２２  バイパス路
２３  常閉式の弁
２４  制御部
【図１】
2005291608.tif 000003